(57)【要約】【課題】本発明は、液晶パネルを駆動する態様の切り替えに伴う表示画像の平均輝度の変動を抑制することができる画像表示技術を提供する。【解決手段】プロジェクタ１０は、画像のフレーム毎に液晶パネル２０を走査するフレーム走査を、静止画モードおよび動画モードで選択的に実行する液晶制御部１１０と、静止画モードおよび動画モードを通じて、一定の発光強度ＬＭｍで持続的に発光する主光源部１４２と、静止画モードの場合に消灯すると共に、動画モードの場合に一定の発光強度ＬＭｓで持続的に発光する補助光源部１４４とを備える。【選択図】図１
2008076611.tif 000002
【特許請求の範囲】
【請求項１】
マトリックス状に配置された複数の画素電極を有する液晶パネルを備え、該液晶パネルに表示した画像を投影するプロジェクタであって、
前記画像のフレーム毎に前記複数の画素電極を走査するフレーム走査を、第１および第２の態様で選択的に行う液晶駆動部と、
前記第１および第２の態様を通じて、一定の発光強度で持続的に発光する主光源部と、
前記第１の態様の場合に消灯すると共に、前記第２の態様の場合に一定の発光強度で持続的に発光する補助光源部と
を備えるプロジェクタ。
【請求項２】
請求項１記載のプロジェクタであって、更に、
前記第１の態様として、前回のフレーム走査で前記画素電極に蓄えられた電荷を、該画素電極に対する次回のフレーム走査まで保持する態様で、前記液晶駆動部を制御する第１の駆動制御部と、
前記第２の態様として、前回のフレーム走査で前記画素電極に蓄えられた電荷を、該画素電極に対する次回のフレーム走査の前に、一定の暗色に対応した暗色レベルに変更する態様で、前記液晶駆動部を制御する第２の駆動制御部と
を備えるプロジェクタ。
【請求項３】
請求項２記載のプロジェクタであって、更に、
前記画像に含まれるオブジェクトの動き量を検出する動き量検出部と、
前記画素電極に蓄えられた電荷が前記暗色レベルに変更されるまで保持される電荷保持期間の長さを、前記検出された動き量に基づいて設定する保持期間設定部と、
前記設定された電荷保持期間の長さに応じて、前記補助光源部による発光強度のレベルを調整する保持期間対応部と
を含むプロジェクタ。
【請求項４】
前記補助光源部の発光強度は、前記液晶パネルにおける平均的な表示輝度が前記第１および第２の態様で略等しくなるレベルである請求項１ないし３のいずれか記載のプロジェクタ。
【請求項５】
請求項１ないし４のいずれか記載のプロジェクタであって、更に、
前記投影された画像の輝度を検出する輝度検出部と、
前記検出した輝度に基づいて、前記補助光源部による発光強度のレベルを調整する輝度対応部と
を備えるプロジェクタ。
【請求項６】
前記第１の態様による制御と前記第２の態様による制御との切り替え指示をユーザから受け付けるモード切替入力部を更に備える請求項１ないし５のいずれか記載のプロジェクタ。
【請求項７】
前記補助光源部を駆動する駆動電流のパルス幅を切り替えることによって、該補助光源部の発光強度を制御する調光制御部を更に備える請求項１ないし６のいずれか記載のプロジェクタ。
【請求項８】
前記主光源部は、超高圧水銀ランプ，メタルハライドランプの少なくとも一方を含む請求項１ないし７のいずれか記載のプロジェクタ。
【請求項９】
前記補助光源部は、発光ダイオード，冷陰極蛍光ランプ，キセノンランプの少なくとも一つを含む請求項１ないし８のいずれか記載のプロジェクタ。
【請求項１０】
マトリックス状に配置された複数の画素電極を有する液晶パネルを備え、該液晶パネルに画像を表示する画像表示装置であって、
前記画像のフレーム毎に前記複数の画素電極を走査するフレーム走査を、第１および第２の態様で選択的に行う液晶駆動部と、
前記第１および第２の態様を通じて、一定の発光強度で持続的に発光する主光源部と、
前記第１の態様の場合に消灯すると共に、前記第２の態様の場合に一定の発光強度で持続的に発光する補助光源部と
を備える画像表示装置。
【請求項１１】
マトリックス状に配置された複数の画素電極を有する液晶パネルを照射する方法であって、
前記画像のフレーム毎に前記複数の画素電極を走査するフレーム走査を、第１および第２の態様で選択的に実行し、
前記第１および第２の態様を通じて、一定の発光強度で持続的に発光する主光源で前記液晶パネルを照射し、
前記第２の態様の場合、前記主光源に加え、一定の発光強度で持続的に発光する補助光源で前記液晶パネルを照射し、
前記第１の態様の場合、前記補助光源を消灯する方法。
【発明の詳細な説明】
【技術分野】
【０００１】
本発明は、液晶パネルを用いた画像表示技術に関する。
【背景技術】
【０００２】
液晶パネルは、光源から液晶パネルを透過させた光をスクリーンに投影して画像を表示するプロジェクタや、液晶パネルに画像を表示する画像表示装置などの表示装置に利用される。液晶パネルとしては、アクティブマトリックス液晶（Active Matrix Liquid Crystal）パネルの一つであるＴＦＴ液晶（Thin Film Transistor Liquid Crystal）パネルが知られている。ＴＦＴ液晶パネルは、マトリックス状に配置された複数の画素電極を有し、画像のフレーム毎に複数の画素電極を走査するフレーム走査によってパネル上に画像が表示される。
【０００３】
従来、ＴＦＴ液晶パネルを用いた動画表示における残像（動画ボケ）を抑制するために、静止画を表示する場合の静止画モードに対して、動画を表示する場合の動画モードとして、前回のフレーム走査で画素電極に蓄えられた電荷を、その画素電極に対する次回のフレーム走査の前に、一定の暗色に対応した暗色レベルに変更する技術（下記特許文献１）が提案されていた。
【０００４】
【特許文献１】特開２００６−１０６６８９号公報
【発明の開示】
【発明が解決しようとする課題】
【０００５】
しかしながら、従来技術では、動画モード時には、暗色レベルの挿入によって液晶パネルを透過する光量が減少してしまうため、動画モード時における表示画像の平均輝度が、静止画モード時よりも低下してしまうという問題があった。
【０００６】
本発明は、上記した課題を踏まえ、液晶パネルを駆動する態様の切り替えに伴う表示画像の平均輝度の変動を抑制することができる画像表示技術を提供することを目的とする。
【課題を解決するための手段】
【０００７】
上述した課題を解決するため、本発明のプロジェクタは、マトリックス状に配置された複数の画素電極を有する液晶パネルを備え、該液晶パネルに表示した画像を投影するプロジェクタであって、前記画像のフレーム毎に前記複数の画素電極を走査するフレーム走査を、第１および第２の態様で選択的に行う液晶駆動部と、前記第１および第２の態様を通じて、一定の発光強度で持続的に発光する主光源部と、前記第１の態様の場合に消灯すると共に、前記第２の態様の場合に一定の発光強度で持続的に発光する補助光源部とを備えることを特徴とする。このプロジェクタによれば、液晶パネルを駆動する異なるモード間における表示画像の平均輝度の差を、補助光源部の消灯および点灯によって補うことができる。これによって、液晶パネルを駆動する態様の変更に伴う表示画像の平均輝度の変動を抑制することができる。
【０００８】
上述のプロジェクタは、以下の形態を採ることもできる。例えば、更に、前記第１の態様として、前回のフレーム走査で前記画素電極に蓄えられた電荷を、該画素電極に対する次回のフレーム走査まで保持する態様で、前記液晶駆動部を制御する第１の駆動制御部と、前記第２の態様として、前回のフレーム走査で前記画素電極に蓄えられた電荷を、該画素電極に対する次回のフレーム走査の前に、一定の暗色に対応した暗色レベルに変更する態様で、前記液晶駆動部を制御する第２の駆動制御部とを備えても良い。これによって、第１の態様である静止画モードと、第２の様態である動画モードとの間の切り替えに伴う表示画像の平均輝度の変動を抑制することができる。
【０００９】
また、前記補助光源部の発光強度は、前記液晶パネルにおける平均的な表示輝度が前記第１および第２の態様で略等しくなるレベルであるとしても良い。これによって、第１および第２の態様の間で表示画像の平均輝度を均一にすることができる。
【００１０】
また、更に、前記画像に含まれるオブジェクトの動き量を検出する動き量検出部と、前記画素電極に蓄えられた電荷が前記暗色レベルに変更されるまで保持される電荷保持期間の長さを、前記検出された動き量に基づいて設定する保持期間設定部と、前記設定された電荷保持期間の長さに応じて、前記補助光源部による発光強度のレベルを調整する保持期間対応部とを含むとしても良い。これによって、電荷保持期間の長さの変更に伴う表示画像の平均輝度の変動を抑制することができる。
【００１１】
また、更に、前記投影された画像の輝度を検出する輝度検出部と、前記検出した輝度に基づいて、前記補助光源部による発光強度のレベルを調整する輝度対応部とを備えても良い。これによって、第１の態様である静止画モードと、第２の様態である動画モードとの間の切り替えに伴う表示画像の平均輝度の変動を効果的に抑制することができる。
【００１２】
また、前記第１の態様による制御と前記第２の態様による制御との切り替え指示をユーザから受け付けるモード切替入力部を更に備えても良い。これによって、ユーザからの指示に基づく駆動態様の切り替えに伴う表示画像の平均輝度の変動を抑制することができる。
【００１３】
また、前記補助光源部を駆動する駆動電流のパルス幅を切り替えることによって、該補助光源部の発光強度を制御する調光制御部を更に備えても良い。これによって、第１の態様である静止画モードと、第２の様態である動画モードとの間の表示画像の平均輝度の差に応じて、補助光源部の発光強度を調整することができる。
【００１４】
また、前記主光源部は、超高圧水銀ランプ，メタルハライドランプの少なくとも一方を含むとしても良い。これによって、液晶パネルの照射を安定的に行うことができる。
【００１５】
また、前記補助光源部は、発光ダイオード，冷陰極蛍光ランプ，キセノンランプの少なくとも一つを含むとしても良い。これによって、駆動態様の切り替えに応じた補助光源部の消灯および点灯の応答速度を確保することができる。
【００１６】
前述した課題を解決するため、本発明の画像表示装置は、マトリックス状に配置された複数の画素電極を有する液晶パネルを備え、該液晶パネルに画像を表示する画像表示装置であって、前記画像のフレーム毎に前記複数の画素電極を走査するフレーム走査を、第１および第２の態様で選択的に行う液晶駆動部と、前記第１および第２の態様を通じて、一定の発光強度で持続的に発光する主光源部と、前記第１の態様の場合に消灯すると共に、前記第２の態様の場合に一定の発光強度で持続的に発光する補助光源部とを備えることを特徴とする。この画像表示装置によれば、液晶パネルを駆動する異なるモード間における表示画像の平均輝度の差を、補助光源部の消灯および点灯によって補うことができる。これによって、液晶パネルを駆動する態様の変更に伴う表示画像の平均輝度の変動を抑制することができる。
【００１７】
前述した課題を解決するため、本発明の液晶照射方法は、マトリックス状に配置された複数の画素電極を有する液晶パネルを照射する方法であって、前記画像のフレーム毎に前記複数の画素電極を走査するフレーム走査を、第１および第２の態様で選択的に実行し、前記第１および第２の態様を通じて、一定の発光強度で持続的に発光する主光源で前記液晶パネルを照射し、前記第２の態様の場合、前記主光源に加え、一定の発光強度で持続的に発光する補助光源で前記液晶パネルを照射し、前記第１の態様の場合、前記補助光源を消灯することを特徴とする。この液晶照射方法によれば、液晶パネルを駆動する異なるモード間における表示画像の平均輝度の差を、補助光源部の消灯および点灯によって補うことができる。これによって、液晶パネルを駆動する態様の変更に伴う表示画像の平均輝度の変動を抑制することができる。
【００１８】
本発明の形態は、プロジェクタ，画像表示装置，液晶照射方法に限るものではなく、例えば、プロジェクタの制御方法、プロジェクタを制御する機能をコンピュータに実現させるためのプログラム、画像表示装置の制御方法、画像表示装置を制御する機能をコンピュータに実現させるためのプログラム、液晶パネルを照射する光源、液晶パネルの光源を制御する機能をコンピュータに実現させるためのプログラムなどの他の形態に適用することもできる。また、本発明は、前述の形態に何ら限定されるものではなく、本発明の趣旨を逸脱しない範囲内において様々な形態で実施し得ることは勿論である。
【発明を実施するための最良の形態】
【００１９】
以上説明した本発明の構成および作用を一層明らかにするために、以下本発明を適用した画像表示技術について説明する。
【００２０】
Ａ．第１の実施例：
図１は、第１の実施例におけるプロジェクタ１０の構成を示す説明図である。プロジェクタ１０は、アクティブマトリックス方式で構成された液晶パネル２０と、液晶パネル２０の背面に光を照射する照明光学系部１４０と、照明光学系部１４０から液晶パネル２０を通過して変調された光をスクリーンに投影する投影光学系部１５０とを備える。
【００２１】
図２は、液晶パネル２０の詳細構成を示す説明図である。液晶パネル２０は、液晶層２４を間に挟むガラス基板２２，２６を備える。ガラス基板２２には、マトリックス状に配置された複数の画素電極２２２と、画素電極２２２の個々に対応する複数のＴＦＴ（Thin Film Transistor）２２４と、列方向に配列されＴＦＴ２２４にソース入力を行う複数のデータ線２２５と、行方向に配列されＴＦＴ２２４にゲート入力を行う複数のゲート線２２７とが形成されている。ガラス基板２６には、複数の画素電極２２２の全てに共通して対向するコモン電極（対向電極）２６２が形成されている。
【００２２】
図１の説明に戻り、プロジェクタ１０は、液晶パネル２０を駆動する構成として、液晶パネル２０の駆動に関する各部を制御する液晶制御部１１０と、液晶パネル２０のデータ線２２５を駆動するデータ線駆動回路１３２と、液晶パネル２０のゲート線２２７を駆動するゲート線駆動回路１３４とを備える。本実施例では、液晶制御部１１０は、液晶パネル２０の駆動に特化した回路が形成されたＡＳＩＣ(Application Specified IC)を含む。本実施例では、データ線駆動回路１３２およびゲート線駆動回路１３４は、種々の論理回路が形成された基板を含む。
【００２３】
プロジェクタ１０は、液晶パネル２０に映像信号を供給する構成として、デジタル映像信号を外部から取り込む映像信号入力部１２０と、外部から取り込んだ映像信号にプロジェクタ１０の特性に適合させる処理（例えば、ガンマ補正）を行う映像信号処理回路１２２と、映像信号処理回路１２２で処理された映像信号をアナログ信号に変換するＤ／Ａ変換器１２４と、液晶制御部１１０からのタイミング信号に基づいて、アナログ信号に変換された映像信号の極性を反転させる極性反転回路１２６と、極性反転回路１２６からの映像信号を増幅してデータ線駆動回路１３２に出力するビデオアンプ１２８とを備える。
【００２４】
液晶制御部１１０からデータ線駆動回路１３２には、画素電極２２２を駆動する水平方向のタイミングを示す水平タイミング信号Ｔｈが出力され、液晶制御部１１０からゲート線駆動回路１３４には、画素電極２２２を駆動する垂直方向のタイミングを示す垂直タイミング信号Ｔｖが出力される。液晶制御部１１０が水平タイミング信号Ｔｈおよび垂直タイミング信号Ｔｖを順次出力することによって、液晶パネル２０に表示される画像のフレーム毎に複数の画素電極２２２を走査するフレーム走査が実施される。
【００２５】
プロジェクタ１０は、液晶パネル２０を駆動する制御態様として、静止画像の表示に適する静止画モードと、動画像の表示に適する動画モードとを選択的に実行可能である。静止画モードは、前回のフレーム走査で画素電極２２２に蓄えられた電荷を、その画素電極２２２に対する次回のフレーム走査まで保持して液晶パネル２０を駆動する制御態様である。動画モードは、前回のフレーム走査で画素電極２２２に蓄えられた電荷を、その画素電極２２２に対する次回のフレーム走査の前に、一定の暗色レベルに変更して液晶パネル２０を駆動する制御態様である。本実施例では、動画モードにおける暗色レベルは、液晶パネル２０上に黒色が表示されることになる一定のレベルである。本実施例では、暗色レベルを示す信号は、液晶制御部１１０からの指示に基づいて、映像信号処理回路１２２によって映像信号に組み込まれる。
【００２６】
プロジェクタ１０の照明光学系部１４０は、液晶パネルを照射する光を発する光源として、主光源部１４２および補助光源部１４４を備える。照明光学系部１４０の主光源部１４２は、静止画モードおよび動画モードを通じて、一定の発光強度ＬＭｍで持続的に発光する。本実施例では、主光源部１４２は、超高圧水銀ランプ（ＵＨＥランプ（Ultra High Efficiency Lamp））を含む。照明光学系部１４０の補助光源部１４４は、静止画モードの場合に消灯すると共に、動画モードの場合に一定の発光強度ＬＭｓで持続的に発光する。本実施例では、補助光源部１４４は、発光ダイオード（ＬＥＤ（Light Emitting Diode））を含む。
【００２７】
プロジェクタ１０は、静止画モードと動画モードとの切り替えに関する構成として、ユーザから静止画モードと動画モードとの切り替えの指示を受け付けるモード切替入力部１６２と、静止画モードと動画モードとの切り替えを制御するモード切替制御部１６０と、画素電極２２２の電荷を暗色レベルに変更するタイミングを示す暗色タイミング信号Ｔｄをゲート線駆動回路１３４に出力するタイミング調整部１１２とを備える。本実施例では、タイミング調整部１１２から出力される暗色タイミング信号Ｔｄは、液晶制御部１１０からの垂直タイミング信号Ｔｖに対して一定期間遅延して発生する。本実施例では、垂直タイミング信号Ｔｖに対する暗色タイミング信号Ｔｄの遅延は、２分の１フレーム周期である。そのため、本実施例では、画素電極２２２の電荷が暗色レベルに変更されるまで保持される電荷保持期間Ｐｒの長さは、２分の１フレーム周期となる。本実施例では、モード切替制御部１６０は、ＣＰＵ(Central Processing Unit)，ＲＯＭ(Read Only Memory)，ＲＡＭ(Random Access Memory)を備えるコンピュータを含む。本実施例では、モード切替入力部１６２は、ユーザからの入力を受け付けるスイッチボタンを含む。
【００２８】
図３は、第１の実施例においてプロジェクタ１０のモード切替制御部１６０が実行するモード切替処理を示すフローチャートである。本実施例では、モード切替制御部１６０は、モード切替入力部１６２がユーザによって操作されると、図３のモード切替処理を開示する。本実施例では、図３のモード切替処理は、ソフトウェアに基づいてモード切替制御部１６０が動作することによって実現される。
【００２９】
プロジェクタ１０のモード切替制御部１６０は、図３のモード切替処理を開始すると、ユーザによって指定された動作モードを示すモード切替入力をモード切替入力部１６２から受け取る（ステップＳ１１０）。その後、モード切替制御部１６０は、モード切替入力が示す動作モードが静止画モードおよび動画モードのどちらであるかを判断する（ステップＳ１２０）。
【００３０】
モード切替入力が動画モードを示す場合（ステップＳ１２０）、モード切替制御部１６０は、補助光源部１４４に点灯を指示するＯＮ信号を出力する（ステップＳ１２２）。モード切替制御部１６０からのＯＮ信号に基づいて、補助光源部１４４は点灯する。一方、モード切替入力が静止画モードを示す場合（ステップＳ１２０）、モード切替制御部１６０は、補助光源部１４４に消灯を指示するＯＦＦ信号を出力する（ステップＳ１２４）。モード切替制御部１６０からのＯＦＦ信号に基づいて、補助光源部１４４は消灯する。補助光源部１４４に対する信号が出力された後（ステップＳ１２２，Ｓ１２４）、モード切替制御部１６０は、液晶制御部１１０およびタイミング調整部１１２に動作モードの切り替えを指示する（ステップＳ１４０）。
【００３１】
図４は、第１の実施例における静止画モードおよび動画モードにそれぞれ対応する総発光強度ＬＭのレベルを示す説明図である。投影光学系部１５０から液晶パネル２０に照射される光の総発光強度ＬＭは、静止画モードにおいては、主光源部１４２の発光強度ＬＭｍを示すレベルＬＭ１であり、動画モードにおいては、主光源部１４２の発光強度ＬＭｍに補助光源部１４４の発光強度ＬＭｓを加えたレベルＬＭ２である。本実施例では、補助光源部１４４の発光強度ＬＭｓは、液晶パネル２０に表示される画像の平均画像輝度ＢＡが静止画モードおよび動画モードを通じてレベルＢＡ１となるレベルに設定されている。
【００３２】
以上説明した第１の実施例におけるプロジェクタ１０によれば、静止画モードおよび動画モード間における平均画像輝度ＢＡの差を、補助光源部１４４の消灯および点灯によって補うことができる。これによって、液晶パネル２０を駆動するモード変更に伴う平均画像輝度ＢＡの変動を抑制することができる。
【００３３】
Ｂ．第２の実施例：
図５は、第２の実施例におけるプロジェクタ１２の構成を示す説明図である。第２の実施例のプロジェクタ１２の構成は、モード切替入力部１６２に代えて、動き量検出部１６４および調光制御部１４６を備える点を除き、第１の実施例のプロジェクタ１０と同様である。
【００３４】
プロジェクタ１２の動き量検出部１６４は、映像信号入力部１２０からの映像信号に基づいてフレーム画像間におけるオブジェクトの動き量Ｍｖを検出した後、検出した動き量Ｍｖを示す信号をモード切替制御部１６０に出力する。本実施例では、動き量Ｍｖの検出は、時間的に前後する二つのフレーム画像をそれぞれ複数のブロックに分割し、二つのフレーム画像間で、各ブロックに含まれる輝度データの重心座標の移動量を動きベクトルとして求め、これら各ブロックの動きベクトルの総和を求めることによって行われる。
【００３５】
プロジェクタ１２の調光制御部１４６は、モード切替制御部１６０の指示に基づいて、補助光源部１４４の発光強度ＬＭｓのレベルを調整する。本実施例では、調光制御部１４６は、補助光源部１４４を駆動する駆動電流のパルス幅を切り替えるＰＷＭ制御（Pulse Width Modulation Control）によって、補助光源部１４４の発光強度ＬＭｓのレベルを調整する。
【００３６】
図６は、第２の実施例においてプロジェクタ１２のモード切替制御部１６０が実行するモード切替処理を示すフローチャートである。本実施例では、モード切替制御部１６０は、電源投入時に初期設定を行った後、図６のモード切替処理を繰り返し実行する。本実施例では、図６のモード切替処理は、ソフトウェアに基づいてモード切替制御部１６０が動作することによって実現される。
【００３７】
プロジェクタ１２のモード切替制御部１６０は、図６のモード切替処理を開始すると、動き量検出部１６４から動き量Ｍｖを受け取る（ステップＳ２１０）。その後、モード切替制御部１６０は、動き量検出部１６４から受け取った動き量Ｍｖに基づいて電荷保持期間Ｐｒを求めた後、動き量Ｍｖに基づいて求めた電荷保持期間Ｐｒを示す信号をタイミング調整部１１２に出力して、電荷保持期間Ｐｒを設定する（ステップＳ２２０）。電荷保持期間Ｐｒがタイミング調整部１１２に設定されると、タイミング調整部１１２は、設定された電荷保持期間Ｐｒに応じて暗色タイミング信号Ｔｄを調整する。
【００３８】
電荷保持期間Ｐｒが設定された後（ステップＳ２２０）、モード切替制御部１６０は、動き量Ｍｖに基づいて求めた電荷保持期間Ｐｒに応じた発光強度ＬＭｓのレベルを求め、電荷保持期間Ｐｒに応じて求めた発光強度ＬＭｓのレベルを調光制御部１４６に設定する（ステップＳ２３０）。発光強度ＬＭｓのレベルが調光制御部１４６に設定されると、調光制御部１４６は、モード切替制御部１６０によって設定されたレベルで、ＰＷＭ制御によって補助光源部１４４の発光強度ＬＭｓを調整する。
【００３９】
図７は、第２の実施例における電荷保持期間Ｐｒと総発光強度ＬＭとの関係を示す説明図である。本実施例では、動き量ＭｖがレベルＭｖ３未満で静止画モードに設定され、動き量ＭｖがレベルＭｖ３以上で動画モードに設定される。本実施例では、電荷保持期間Ｐｒは、静止画モード時に期間Ｐｒ３に設定され、動画モード時に、動き量Ｍｖが増加するに従って期間Ｐｒ３から期間Ｐｒ４まで滑らかな軌跡を描いて短くなるように設定される。
【００４０】
本実施例では、静止画モードの場合、すなわち、動き量ＭｖがレベルＭｖ３未満の場合、総発光強度ＬＭは、主光源部１４２の発光強度ＬＭｍを示すレベルＬＭ３である。本実施例では、動画モードの場合、すなわち、動き量ＭｖがレベルＭｖ３以上の場合、動き量ＭｖがレベルＭｖ３からレベルＭｖ４になるまで、補助光源部１４４の発光強度ＬＭｓが徐々に増加することによって、総発光強度ＬＭは、レベルＬＭ３からレベルＬＭ４に徐々に増加し、動き量ＭｖがレベルＭｖ４以上で、総発光強度ＬＭはレベルＬＭ４になる。本実施例では、補助光源部１４４の発光強度ＬＭｓは、液晶パネル２０に表示される画像の平均画像輝度ＢＡが静止画モードおよび動画モードを通じてレベルＢＡ１となるレベルに設定されている。
【００４１】
以上説明した第２の実施例におけるプロジェクタ１２によれば、第１の実施例と同様に、静止画モードおよび動画モード間における平均画像輝度ＢＡの差を、補助光源部１４４の消灯および点灯によって補うことができる。これによって、液晶パネル２０を駆動するモード変更に伴う平均画像輝度ＢＡの変動を抑制することができる。また、電荷保持期間Ｐｒの長さが動き量Ｍｖに基づいて設定されるため、液晶パネル２０に表示される動画像の内容に応じて、残像（動画ボケ）の発生を効果的に抑制することができる。また、動画モード時における補助光源部１４４の発光強度ＬＭｓが電荷保持期間Ｐｒの長さに応じて設定されるため、電荷保持期間Ｐｒの長さの変更に伴う平均画像輝度ＢＡの変動を抑制することができる。
【００４２】
Ｃ．第３の実施例：
図８は、第３の実施例におけるプロジェクタ１４の構成を示す説明図である。第３の実施例のプロジェクタ１４は、スクリーンに投影された画像の輝度Ｂｐに基づいて補助光源部１４４における発光強度ＬＭｓのレベルを調整する点を除き、第２の実施例のプロジェクタ１２と同様である。プロジェクタ１４は、第２の実施例のプロジェクタ１２の構成に加え、投影輝度検出部１６６を更に備える。プロジェクタ１４の投影輝度検出部１６６は、投影光学系部１５０によってスクリーンに投影された画像の輝度Ｂｐを検出し、検出された投影画像の輝度Ｂｐを示す信号をモード切替制御部１６０に出力する。本実施例では、投影輝度検出部１６６は、投影された画像の各部の輝度Ｂｐを感知するＣＣＤカメラや照度センサを含む。
【００４３】
図９は、第３の実施例においてプロジェクタ１４のモード切替制御部１６０が実行する投影輝度対応処理を示すフローチャートである。本実施例では、モード切替制御部１６０は、電源投入時に初期設定を行った後、図９の投影輝度対応処理を繰り返し実行する。本実施例では、図９の投影輝度対応処理は、ソフトウェアに基づいてモード切替制御部１６０が動作することによって実現される。
【００４４】
プロジェクタ１４のモード切替制御部１６０は、図９の投影輝度対応処理を開始すると、投影輝度検出部１６６から投影画像の輝度Ｂｐを受け取る（ステップＳ３１０）。その後、投影輝度検出部１６６から受け取った輝度Ｂｐに基づいて補助光源部１４４における発光強度ＬＭｓのレベルを調整する（ステップＳ３２０）。
【００４５】
以上説明した第３の実施例におけるプロジェクタ１４によれば、第２の実施例と同様に、静止画モードおよび動画モード間における平均画像輝度ＢＡの差を、補助光源部１４４の消灯および点灯によって補うことができる。これによって、液晶パネル２０を駆動するモード変更に伴う平均画像輝度ＢＡの変動を抑制することができる。また、投影画像の輝度Ｂｐに応じて補助光源部１４４における発光強度ＬＭｓのレベルが調整されるため、液晶パネル２０や主光源部１４２の経年劣化や、画像が投影されるスクリーンの状態に応じて、暗色レベルの挿入に対応した発光強度ＬＭｓに調整することができる。
【００４６】
Ｄ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、本実施例では、主光源部１４２に超高圧水銀ランプを用いるが、他の実施形態として、液晶パネル２０の照射に適した他の光源（例えば、メタルハライドランプ，発光ダイオード，冷陰極蛍光ランプ，キセノンランプなど）を用いても良い。また、本実施例では、補助光源部１４４に発光ダイオードを用いるが、他の実施形態として、液晶パネル２０の駆動モードの切り替え速度に追従して発光強度を制御可能な他の光源（例えば、冷陰極蛍光ランプ，キセノンランプなど）を用いても良い。
【００４７】
また、第２の実施例のプロジェクタ１２において、映像信号入力部１２０に入力されるデジタル映像信号が圧縮データである場合、動き量Ｍｖの検出は、デジタル映像信号の圧縮率に基づいて求めても良い。また、本実施例のように外部のスクリーンに画像を投影するプロジェクタではなく、スクリーンの背面から画像を投影するリアプロジェクタに本発明を適用しても良い。また、本発明は、プロジェクタに限るものではなく、液晶パネルを用いた種々の装置（例えば、液晶テレビ、液晶ディスプレイ、携帯電話、ゲーム機など）に適用することができることは勿論である。
【図面の簡単な説明】
【００４８】
【図１】第１の実施例におけるプロジェクタ１０の構成を示す説明図である。
【図２】液晶パネル２０の詳細構成を示す説明図である。
【図３】第１の実施例においてプロジェクタ１０のモード切替制御部１６０が実行するモード切替処理を示すフローチャートである。
【図４】第１の実施例における静止画モードおよび動画モードにそれぞれ対応する総発光強度ＬＭのレベルを示す説明図である。
【図５】第２の実施例におけるプロジェクタ１２の構成を示す説明図である。
【図６】第２の実施例においてプロジェクタ１２のモード切替制御部１６０が実行するモード切替処理を示すフローチャートである。
【図７】第２の実施例における電荷保持期間Ｐｒと総発光強度ＬＭとの関係を示す説明図である。
【図８】第３の実施例におけるプロジェクタ１４の構成を示す説明図である。
【図９】第３の実施例においてプロジェクタ１４のモード切替制御部１６０が実行する投影輝度対応処理を示すフローチャートである。
【符号の説明】
【００４９】
１０，１２，１４…プロジェクタ
２０…液晶パネル
２２…ガラス基板
２４…液晶層
２６…ガラス基板
１１０…液晶制御部
１１２…タイミング調整部
１２０…映像信号入力部
１２２…映像信号処理回路
１２４…Ｄ／Ａ変換器
１２６…極性反転回路
１２８…ビデオアンプ
１３２…データ線駆動回路
１３４…ゲート線駆動回路
１４０…照明光学系部
１４２…主光源部
１４４…補助光源部
１４６…調光制御部
１５０…投影光学系部
１６０…モード切替制御部
１６２…モード切替入力部
１６４…動き量検出部
１６６…投影輝度検出部
２２２…画素電極
２２４…ＴＦＴ
２２５…データ線
２２７…ゲート線
Ｔｈ…水平タイミング信号
Ｔｖ…垂直タイミング信号
Ｔｄ…暗色タイミング信号
Ｐｒ…電荷保持期間
ＢＡ…平均画像輝度
ＬＭ…総発光強度
ＬＭｍ…発光強度
ＬＭｓ…発光強度
Ｂｐ…輝度
Ｍｖ…動き量
【図１】
2008076611.tif 000003
【図２】
2008076611.tif 000004
【図３】
2008076611.tif 000005
【図４】
2008076611.tif 000006
【図５】
2008076611.tif 000007
【図６】
2008076611.tif 000008
【図７】
2008076611.tif 000009
【図８】
2008076611.tif 000010
【図９】
2008076611.tif 000011